【手続補正書】
【提出日】平成28年1月25日(2016.1.25)
【手続補正１】
【補正対象書類名】特許請求の範囲
【補正対象項目名】全文
【補正方法】変更
【補正の内容】
【特許請求の範囲】
【請求項１】
第１の映像処理装置と第２の映像処理装置のそれぞれにより出力される映像データに基づく映像の表示を前記第１の映像処理装置により出力されるゲンロック信号を用いて同期させる映像処理システムであって、
前記第１の映像処理装置は、
映像データに基づく映像の表示処理を変更するタイミングを特定する特定手段と、
前記第１及び第２の映像処理装置によりそれぞれ出力される映像データに基づく映像の表示を同期させるために前記第１の映像処理装置から前記第２の映像処理装置へ出力されるゲンロック信号を生成する生成手段であって、前記ゲンロック信号に含まれる複数の同期信号パルスのうち、前記特定手段により特定された前記タイミングによって示される同期信号パルスが変形されたゲンロック信号を生成する生成手段と、
前記第１の映像処理装置が出力する映像データに対応する複数のフレームまたはフィールドのうち、前記変形された同期信号パルスに対応するフレームまたはフィールドに同期して表示処理の変更を実行する第１の実行手段と、を備え、
前記第２の映像処理装置は、
前記第１の映像処理装置から出力された前記ゲンロック信号に含まれる複数の同期信号パルスのうち、前記変形された同期信号パルスを検出する検出手段と、
前記第２の映像処理装置が出力する映像データに対応する複数のフレームまたはフィールドのうち、前記検出手段が検出した前記変形された同期信号パルスに対応するフレームまたはフィールドに同期して表示処理の変更を実行する第２の実行手段と、を備えることを特徴とする映像処理システム。
【請求項２】
前記生成手段は、前記表示処理の変更を実行させるための要求に応じて前記変形を実行することを特徴とする請求項１に記載の映像処理システム。
【請求項３】
前記表示処理の変更の内容を前記第１の映像処理装置から前記第２の映像処理装置へ通知する通知手段を更に備えることを特徴とする請求項１または２に記載の映像処理システム。
【請求項４】
前記第１の実行手段は、前記生成手段が変形した同期信号パルスが属するフレームまたはフィールドから、前記第２の実行手段は前記検出手段により前記変形が検出された同期信号パルスが属するフレームまたはフィールドから、それぞれ所定番目のフレームまたはフィールドに同期して表示処理の変更を実行することを特徴とする請求項１乃至３のいずれか１項に記載の映像処理システム。
【請求項５】
前記第１の実行手段は、前記生成手段が変形した同期信号パルスが属するフレームまたはフィールドの次のフレームまたはフィールドに同期して、前記第２の実行手段は、前記検出手段により前記変形が検出された同期信号パルスが属するフレームまたはフィールドの次のフレームまたはフィールドに同期して、それぞれ表示処理の変更を実行することを特徴とする請求項４に記載の映像処理システム。
【請求項６】
前記第１の映像処理装置において前記変形が実行された同期信号パルスに対応するフレームまたはフィールドからのフレーム数またはフィールド数をカウントする第１のカウンタと、
前記第１の映像処理装置から前記第２の映像処理装置へ前記変更を実行するフレーム数またはフィールド数を通知する通知手段と、
前記第２の映像処理装置において前記変形が検出された同期信号パルスに対応するフレームまたはフィールドからのフレーム数またはフィールド数をカウントする第２のカウンタと、を更に備え、
前記第１の実行手段は、前記第１のカウンタが、前記通知手段が通知したフレーム数またはフィールド数に達したときのフレームまたはフィールドに同期して前記変更を実行し、
前記第２の実行手段は、前記第２のカウンタが、前記通知手段により通知されたフレーム数またはフィールド数に達したときのフレームまたはフィールドに同期して前記変更を実行することを特徴とする請求項１に記載の映像処理システム。
【請求項７】
前記通知手段は、さらに前記変更の内容を通知することを特徴とする請求項６に記載の映像処理システム。
【請求項８】
前記同期信号パルスの変形は、垂直同期信号の信号幅の変更または垂直同期信号の信号電圧の変更であることを特徴とする請求項１乃至７のいずれか１項に記載の映像処理システム。
【請求項９】
前記同期信号パルスの変形は、水平同期信号の信号幅の変更または水平同期信号の信号電圧の変更であることを特徴とする請求項１乃至８のいずれか１項に記載の映像処理システム。
【請求項１０】
前記第１の実行手段は、前記前記生成手段が変形した同期信号パルスに対応するフレームまたはフィールドの垂直同期信号に同期して割込み信号を発生する第１の発生手段を更に有し、該第１の発生手段が発生した割込み信号に応じて前記表示処理の変更を実行し、
前記第２の実行手段は、前記前記検出手段が変形した同期信号パルスに対応するフレームまたはフィールドの垂直同期信号に同期して割込み信号を発生する第２の発生手段を更に有し、該第２の発生手段が発生した割込み信号に応じて前記表示処理の変更を実行することを特徴とする請求項１乃至９のいずれか１項に記載の映像処理システム。
【請求項１１】
映像データに基づく映像を表示させるための映像処理装置であって、
映像データに基づく映像の表示処理を変更するタイミングを特定する特定手段と、
前記映像処理装置と他の映像処理装置によりそれぞれ出力される映像データに基づく映像の表示を同期させるために前記映像処理装置から前記他の映像処理装置へ出力されるゲンロック信号を生成する生成手段であって、前記ゲンロック信号に含まれる複数の同期信号パルスのうち、前記特定手段により特定された前記タイミングによって示される同期信号パルスが変形されたゲンロック信号を生成する生成手段と、
前記生成手段により生成されたゲンロック信号を前記他の映像処理装置へ出力する出力手段と、
前記映像処理装置が出力する映像データに対応する複数のフレームまたはフィールドのうち、前記変形された同期信号パルスに対応するフレームまたはフィールドに同期して表示処理の変更を実行する実行手段と、を備えることを特徴とする映像処理装置。
【請求項１２】
映像データに基づく映像を表示させるための映像処理装置であって、
前記映像処理装置と他の映像処理装置によりそれぞれ出力される映像データに基づく映像の表示を同期させるために前記他の映像処理装置から出力されるゲンロック信号であって、複数の同期信号パルスのうち、前記映像の表示処理を変更するタイミングに応じた同期信号パルスが変形されたゲンロック信号を受信する受信手段と、
前記他の映像処理装置から受信した前記ゲンロック信号に含まれる複数の同期信号パルスのうち、前記変形された同期信号パルスを検出する検出手段と、
前記映像処理装置が出力する映像データに対応する複数のフレームまたはフィールドのうち、前記検出手段が検出した前記変形された同期信号パルスに対応するフレームまたはフィールドに同期して表示処理の変更を実行する実行手段と、を備えることを特徴とする映像処理装置。
【請求項１３】
第１の映像処理装置と第２の映像処理装置のそれぞれにより出力される映像データに基づく映像の表示を前記第１の映像処理装置により出力されるゲンロック信号を用いて同期させる映像処理システムの制御方法であって、
前記第１の映像処理装置が、映像データに基づく映像の表示処理を変更するタイミングを特定する特定する特定工程と、
前記第１の映像処理装置が、前記第１及び第２の映像処理装置によりそれぞれ出力される映像データに基づく映像の表示を同期させるために前記第１の映像処理装置から前記第２の映像処理装置へ出力されるゲンロック信号を生成する生成工程であって、前記ゲンロック信号に含まれる複数の同期信号パルスのうち、前記特定工程で特定された前記タイミングによって示される同期信号パルスが変形されたゲンロック信号を生成する生成工程と、
前記第１の映像処理装置が、前記第１の映像処理装置が出力する映像データに対応する複数のフレームまたはフィールドのうち、前記変形された同期信号パルスに対応するフレームまたはフィールドに同期して表示処理の変更を実行する第１の実行工程と、
前記第２の映像処理装置が、前記第１の映像処理装置から出力された前記ゲンロック信号に含まれる複数の同期信号パルスのうち、前記変形された同期信号パルスを検出する検出工程と、
前記第２の映像処理装置が、前記第２の映像処理装置が出力する映像データに対応する複数のフレームまたはフィールドのうち、前記検出工程で検出された前記変形された同期信号パルスに対応するフレームまたはフィールドに同期して表示処理の変更を実行する第２の実行工程と、を有することを特徴とする映像処理システムの制御方法。
【請求項１４】
映像データに基づく映像を表示させるための映像処理装置の制御方法であって、
特定手段が、映像データに基づく映像の表示処理を変更するタイミングを特定する特定工程と、
生成手段が、前記映像処理装置と他の映像処理装置によりそれぞれ出力される映像データに基づく映像の表示を同期させるために前記映像処理装置から前記他の映像処理装置へ出力されるゲンロック信号を生成する生成工程であって、前記ゲンロック信号に含まれる複数の同期信号パルスのうち、前記特定工程で特定された前記タイミングによって示される同期信号パルスが変形されたゲンロック信号を生成する生成工程と、
出力手段が、前記生成工程で生成されたゲンロック信号を前記他の映像処理装置へ出力する出力工程と、
実行手段が、前記映像処理装置が出力する映像データに対応する複数のフレームまたはフィールドのうち、前記変形された同期信号パルスに対応するフレームまたはフィールドに同期して表示処理の変更を実行する実行工程と、を有することを特徴とする映像処理装置の制御方法。
【請求項１５】
映像データに基づく映像を表示させるための映像処理装置の制御方法であって、
受信手段が、前記映像処理装置と他の映像処理装置によりそれぞれ出力される映像データに基づく映像の表示を同期させるために前記他の映像処理装置から出力されるゲンロック信号であって、複数の同期信号パルスのうち、前記映像の表示処理を変更するタイミングに応じた同期信号パルスが変形されたゲンロック信号を受信する受信工程と、
検出手段が、前記他の映像処理装置から受信した前記ゲンロック信号に含まれる複数の同期信号パルスのうち、前記変形された同期信号パルスを検出する検出工程と、
実行手段が、前記映像処理装置が出力する映像データに対応する複数のフレームまたはフィールドのうち、前記検出工程で検出された前記変形された同期信号パルスに対応するフレームまたはフィールドに同期して表示処理の変更を実行する実行工程と、を有することを特徴とする映像処理装置の制御方法。
【請求項１６】
コンピュータに、請求項１４または１５に記載された映像処理装置の制御方法の各工程を実行させるためのプログラム。
【手続補正２】
【補正対象書類名】明細書
【補正対象項目名】０００７
【補正方法】変更
【補正の内容】
【０００７】
上記の目的を達成するための本発明の一態様による映像処理システムは以下の構成を備える。すなわち、
第１の映像処理装置と第２の映像処理装置のそれぞれにより出力される映像データに基づく映像の表示を前記第１の映像処理装置により出力されるゲンロック信号を用いて同期させる映像処理システムであって、
前記第１の映像処理装置は、
映像データに基づく映像の表示処理を変更するタイミングを特定する特定手段と、
前記第１及び第２の映像処理装置によりそれぞれ出力される映像データに基づく映像の表示を同期させるために前記第１の映像処理装置から前記第２の映像処理装置へ出力されるゲンロック信号を生成する生成手段であって、前記ゲンロック信号に含まれる複数の同期信号パルスのうち、前記特定手段により特定された前記タイミングによって示される同期信号パルスが変形されたゲンロック信号を生成する生成手段と、
前記第１の映像処理装置が出力する映像データに対応する複数のフレームまたはフィールドのうち、前記変形された同期信号パルスに対応するフレームまたはフィールドに同期して表示処理の変更を実行する第１の実行手段と、を備え、
前記第２の映像処理装置は、
前記第１の映像処理装置から出力された前記ゲンロック信号に含まれる複数の同期信号パルスのうち、前記変形された同期信号パルスを検出する検出手段と、
前記第２の映像処理装置が出力する映像データに対応する複数のフレームまたはフィールドのうち、前記検出手段が検出した前記変形された同期信号パルスに対応するフレームまたはフィールドに同期して表示処理の変更を実行する第２の実行手段と、を備える。
【手続補正３】
【補正対象書類名】明細書
【補正対象項目名】００２０
【補正方法】変更
【補正の内容】
【００２０】
＜ゲンロック信号の波形タイミング（図２）＞
図２は、第一実施形態による映像処理システム１におけるゲンロック信号３のタイミングを示す図である。ゲンロック信号は、垂直同期信号２１４（extout_vs）と水平同期信号１２５（extout_hs）の２本の信号を有する。垂直同期信号２１４の通常のパルス幅（信号幅）は水平同期信号１２５により規定される１ライン幅である。外部同期割込みリクエストがあった場合、マスタ装置１０は、変形された垂直同期信号として３ライン幅の垂直同期信号を出力する。マスタ装置１０では、垂直同期信号を変形したタイミングにより特定される映像信号のフレーム（本実施形態では、ゲンロック信号の垂直同期信号が変形された直後のフレーム）に同期して外部同期割り込みが発生し、表示制御が実行される。スレーブ装置２０では、この垂直同期信号の変形（３ライン幅の垂直同期信号）を検出すると、垂直同期信号の変形が検出されたタイミングにより特定される映像信号のフレームに同期して、すなわち、次のフレームで外部同期割込みが発生する。
【手続補正４】
【補正対象書類名】明細書
【補正対象項目名】００２１
【補正方法】変更
【補正の内容】
【００２１】
マスタ装置１０において、垂直同期信号１２０と水平同期信号１２１は、マスタ同期信号生成部１１の生成する同期信号である。垂直同期信号１２０は、各フレームの冒頭でアサートされる。水平同期信号１２１は、水平走査ラインの冒頭でアサートされる。外部同期割り込みリクエスト信号１２２は、マスタ制御部１６のソフトウェアが行なう外部同期割込みのリクエストである。同期割り込みのリクエストは、たとえば、後述する表示モードの切換え等、表示処理の変更が必要になった場合に発生する。図２では、外部同期割り込みリクエスト信号パルス１３０のタイミングで外部同期割込みがリクエストされている。外部同期割込みがリクエストされた場合、マスタ制御部１６は、次のフレームでゲンロック信号の変形が行われるように信号幅変調部１４を制御する。信号幅変調部１４はゲンロック信号の垂直同期信号１２４を変形（ライン幅を３ライン幅へ変形）し（垂直同期信号パルス１３３）、その次のフレームでマスタ制御部１６に対して外部同期割込み信号１２３をアサートする（タイミング１３１）。こうして、外部同期割込みリクエスト信号パルス１３０に応じて、タイミング１３１で外部同期割込みがアサートされる。
【手続補正５】
【補正対象書類名】明細書
【補正対象項目名】００２２
【補正方法】変更
【補正の内容】
【００２２】
ゲンロック信号の垂直同期信号１２４と水平同期信号１２５は、マスタ同期信号生成部１１の生成する同期信号に基づいて出力される。垂直同期信号１２４は、各フレームの冒頭でアサートされる。水平同期信号１２５は、水平走査ラインの冒頭でアサートされる。垂直同期信号１２４は、通常のフレームでは１ライン幅の垂直同期信号パルス１３２として出力されるが、外部同期割込みのリクエストがあった次のフレームでは、上述のように３ライン幅の垂直同期信号パルス１３３が出力される。図２では、＃１のフレームで発生した外部同期割り込みリクエストに応じて、＃２のフレームで３ライン幅の垂直同期信号パルス１３３が出力されている。
【手続補正６】
【補正対象書類名】明細書
【補正対象項目名】００２３
【補正方法】変更
【補正の内容】
【００２３】
スレーブ装置２０のスレーブ同期信号生成部２４が生成する垂直同期信号１２６は、入力されたゲンロック信号（垂直同期信号１２４）のタイミングに基づいて生成される。信号幅検出部２２は、３ライン幅のゲンロック用の垂直同期信号を検出すると、次のフレームで外部同期割込み信号１２７をアサートする。図２では、３ライン幅の垂直同期信号パルス１３３に応じて、タイミング１３４で外部同期割込み１２７がアサートされている。スレーブ装置２０における外部同期割込み信号１２７がアサートされるタイミング１３４は、３ライン幅の垂直同期信号パルス１３３の次の垂直同期信号のタイミングである。したがって、外部同期割込み信号１２７は、マスタ外部同期割込み信号１２３（タイミング１３１）と同じフレームまたはフレームで割込みが発生していることになる。
【手続補正７】
【補正対象書類名】明細書
【補正対象項目名】００２４
【補正方法】変更
【補正の内容】
【００２４】
以上のようにゲンロック信号の変形と検出を行なうことで、一つの外部同期割り込みリクエストに応じてマスタ装置１０とスレーブ装置２０は同じフレームで割込みを発生することができる。
【手続補正８】
【補正対象書類名】明細書
【補正対象項目名】００２７
【補正方法】変更
【補正の内容】
【００２７】
ステップＳ２０４では、マスタ制御部１６は、信号幅変調部１４に対して外部同期割込みのリクエストを行なう。すなわち、信号幅変調部１４に外部同期割込みのリクエストの設定を行ない、次のフレームのゲンロック信号に３ライン幅の垂直同期信号が出力されるようにする。ステップＳ２０５では、マスタ制御部１６は、外部同期割込み信号１２３がアサートされる（外部同期割込みが発生する）のを待つ。外部同期割込みが発生した場合、処理はステップＳ２０６に進み、発生していない場合はステップＳ２０５を再度実行する。ステップＳ２０６では、マスタ制御部１６は、表示モード切換えのための設定変更を実行することにより表示制御を実行する（第１の実行処理）。たとえば、マスタ制御部１６は、マスタ映像入力部１８やマスタ画像処理部１９の設定レジスタを新たな表示モード用の設定に書き換える。
【手続補正９】
【補正対象書類名】明細書
【補正対象項目名】００３５
【補正方法】変更
【補正の内容】
【００３５】
［第二実施形態］
映像コマの同期は事前に行なってもよい。第二実施形態では、ゲンロック割込みを使用して起動時にマスタ装置１０とスレーブ装置２０の映像コマ同期を行なっておき、表示モード切換えを行なう例を説明する。なお、第二実施形態の映像処理システムの構成とゲンロック信号の波形は、前述の第一実施形態と同様である。但し、第二実施形態においては、マスタ制御部１６とスレーブ制御部２７のメモリ中に、それぞれフィールド数をカウントするための第１のカウンタ、第２のカウンタとして、フィールド番号カウンタを設ける。マスタ制御部１６とスレーブ制御部２７のそれぞれは、新たなフィールドが開始される毎にこのフィールド番号カウンタをインクリメントする。
【手続補正１０】
【補正対象書類名】明細書
【補正対象項目名】００３６
【補正方法】変更
【補正の内容】
【００３６】
＜フィールド同期の処理の流れ（図４）＞
図４は、第二実施形態の映像処理システムのフィールド同期処理の流れを示すフローチャートである。装置の起動時に外部同期割込みを発生させて、フィールド番号カウンタの同期を行なっておく。ユーザが表示モード切換えの指示を入力した場合、同じフィールド番号のフィールドで表示モード切換えの制御を行なう。ステップＳ２２１〜Ｓ２２８は、マスタ装置１０のマスタ制御部１６が行なう処理であり、ステップＳ２３０〜Ｓ２３５はスレーブ装置２０のスレーブ制御部２７が行う処理である。
【手続補正１１】
【補正対象書類名】明細書
【補正対象項目名】００４３
【補正方法】変更
【補正の内容】
【００４３】
なお、本発明は、上述の実施形態に限定されるものではなく、幅広く応用することが可能である。また、第一実施形態では起動時に映像コマ同期を行なう例を説明したが、起動時に映像が入力されていない場合もある。この場合、映像が入力されたことを検出し、入力が検出された時点で映像コマ同期を行なうようにしてもよい。また、映像の表示中に、数秒〜数分程度の時間間隔で定期的に映像コマ同期を行なうようにしてもよい。また、上記第二実施形態において、マスタ装置１０とスレーブ装置２０で実行される表示制御（例えば切換え制御）の内容がそれぞれの装置において予め設定済みであれば、ステップＳ２２５における内容（切換える内容）の通知を省略してもよい。また、上記各実施形態においては、映像信号のフレームに同期した表示制御であってもよいし、フィールドに同期した表示制御であってもよい。たとえば、第二実施形態では、第１、第２のカウンタはフレーム数をカウントするカウンタであってもよい。